(57)【要約】【課題】オブジェクトを画面上に効果的に表示する。【解決手段】画面上に表示するオブジェクト情報を取得する取得手段と、取得したオブジェクト情報のそれぞれに対して、該取得したオブジェクト情報と、時間情報と、該取得したオブジェクトの表示に関する優先度とを関連付けて記憶する記憶手段と、画面上に１以上の前記オブジェクトを表示するときの、前記取得したオブジェクト情報それぞれの表示位置を、前記オブジェクト情報に関連付けて記憶された時間情報と優先度とに基づき制御する表示制御手段と、を有する表示制御装置が提供される。【選択図】図７
2015068988.tif 000002
【特許請求の範囲】
【請求項１】
画面上に表示するオブジェクト情報を取得する取得手段と、
取得したオブジェクト情報のそれぞれに対して、該取得したオブジェクト情報と、時間情報と、該取得したオブジェクトの表示に関する優先度とを関連付けて記憶する記憶手段と、
画面上に１以上の前記オブジェクトを表示するときの、前記取得したオブジェクト情報それぞれの表示位置を、前記オブジェクト情報に関連付けて記憶された時間情報と優先度とに基づき制御する表示制御手段と、
を有する表示制御装置。
【請求項２】
前記表示制御手段は、
前記時間情報及び優先度の一方に基づき、前記画面に対して平面上のオブジェクトの表示位置を制御し、前記時間情報及び優先度の他方に基づき、前記画面に対して奥行き方向のオブジェクトの表示位置を制御する、
請求項１に記載の表示制御装置。
【請求項３】
前記表示制御手段は、
前記優先度に基づき前記画面に対して奥行き方向のオブジェクトの表示位置を制御する場合、前記優先度が高いオブジェクトほど奥行き方向の手前に表示する、
請求項２に記載の表示制御装置。
【請求項４】
前記表示制御手段は、
前記時間情報に基づき前記画面に対して平面上のオブジェクトの表示位置を制御する場合、前記時間情報が示す日時が新しいオブジェクトほど前記画面の上方に表示する、
請求項２又は３に記載の表示制御装置。
【請求項５】
前記表示制御手段は、
前記時間情報に基づき前記画面に対して奥行き方向のオブジェクトの表示位置を制御する場合、前記時間情報が示す日時が新しいオブジェクトほど奥行き方向の手前に表示する、
請求項２に記載の表示制御装置。
【請求項６】
前記表示制御手段は、
前記優先度に基づき前記画面に対して平面上のオブジェクトの表示位置を制御する場合、前記優先度が高いオブジェクトほど前記画面の上方に表示する、
請求項２又は５に記載の表示制御装置。
【請求項７】
前記表示制御手段は、
前記画面上に表示されている特定のオブジェクトに対する優先度を上げる指示を選択可能な表示画面を表示し、該優先度を上げる指示を上げるユーザ操作に応じて、該特定のオブジェクトの優先度を上げる、
請求項１乃至６のいずれか一項に記載の表示制御装置。
【請求項８】
前記表示制御手段は、
前記優先度に基づき各オブジェクトの表示態様を制御する、
請求項１乃至７のいずれか一項に記載の表示制御装置。
【請求項９】
前記取得したオブジェクトである第一のオブジェクトを表示する表示領域を定める第二のオブジェクトに基づき、前記第二のオブジェクトの表示領域に、前記第一のオブジェクトを表示する請求項１乃至８のいずれか一項に記載の表示制御装置。
【請求項１０】
前記表示制御手段は、
前記画面上に表示するオブジェクトの数に基づき、前記第二のオブジェクトの大きさを変化させて表示する、
請求項９に記載の表示制御装置。
【請求項１１】
前記記憶手段は、
前記オブジェクト情報に関連付けてイベントの識別情報を記憶し、
前記表示制御手段は、
前記イベントの識別情報により識別される一のイベント又は関連する複数のイベントに関連付けて記憶された前記オブジェクト情報により表示されるオブジェクトを画面上に表示する、
請求項１乃至１０のいずれか一項に記載の表示制御装置。
【請求項１２】
前記表示制御手段は、
前記画面上に前記オブジェクトの表示位置の制御方法を選択可能な表示画面を表示し、ユーザの選択操作に応じて、前記画面に対して平面上のオブジェクトの表示位置及び奥行き方向のオブジェクトの表示位置のいずれを前記時間情報及び優先度のいずれに基づき制御するかを決定する、
請求項２乃至１１のいずれか一項に記載の表示制御装置。
【請求項１３】
前記表示制御手段は、
ユーザの操作に応じて前記画面上に表示されているオブジェクトの識別情報を取得し、
前記取得されたオブジェクトの識別情報により識別されるオブジェクトを印刷する印刷手段を更に有する、
請求項１乃至１２のいずれか一項に記載の表示制御装置。
【請求項１４】
オブジェクトを入力するオブジェクト入力装置と、１以上の前記オブジェクトを画面上に表示するための表示制御を実行する１台以上の表示制御装置から成る表示制御処理システムと、オブジェクトを画面上に表示するオブジェクト表示装置とが、ネットワークを介して接続する表示制御システムであって、
前記表示制御処理システムが、前記オブジェクト入力装置において入力したオブジェクト情報を取得する取得手段と、
取得したオブジェクト情報のそれぞれに対して、該取得したオブジェクト情報と、時間情報と、該取得したオブジェクトの表示に関する優先度とを関連付けて所定の記憶装置に記憶する記憶手段と、
前記表示制御処理システムが、画面上に１以上の前記オブジェクトを表示するときの、前記取得したオブジェクト情報それぞれの表示位置を、前記オブジェクト情報に関連付けて記憶された時間情報と優先度とに基づき制御する表示制御手段と、
前記オブジェクト表示装置が、表示位置が制御された１以上の前記オブジェクトを表示する表示手段と、
を有する表示制御システム。
【請求項１５】
オブジェクトを入力するオブジェクト入力装置と、１以上の前記オブジェクトを画面上に表示するための表示制御を実行する１台以上の表示制御装置から成る表示制御処理システムと、オブジェクトを画面上に表示するオブジェクト表示装置とが、ネットワークを介して接続する表示制御システムであって、取得したオブジェクト情報のそれぞれに対して、該取得したオブジェクト情報と、時間情報と、該取得したオブジェクトの表示に関する優先度とを関連付けて記憶する記憶装置を備える前記表示制御システムにおける表示制御方法であって、
ユーザのユーザ操作に応じて前記オブジェクト入力装置においてオブジェクト情報を入力する入力ステップと、
入力したオブジェクト情報を、該入力したオブジェクトに応じた前記時間情報及び前記優先度と関連付けて前記記憶装置に記憶する記憶ステップと、
前記入力ステップによるオブジェクト情報の入力に応じて、前記表示制御処理システムにおいて、該入力したオブジェクト情報及び前記記憶装置に記憶しているオブジェクト情報を画面上に表示するときのそれぞれの表示位置を、前記オブジェクト情報に関連付けて記憶された時間情報と優先度とに基づき制御する表示制御ステップと、
前記オブジェクト表示装置において、前記表示制御ステップにより表示位置が制御された１以上の前記オブジェクトを表示する表示ステップと、
を有する表示制御方法。
【請求項１６】
画面上に表示するオブジェクト情報を取得する取得手段と、
取得したオブジェクト情報のそれぞれに対して、該取得したオブジェクト情報と、時間情報と、該取得したオブジェクトの表示に関する優先度とを関連付けて所定の記憶装置に記憶する記憶手段と、
画面上に１以上の前記オブジェクトを表示するときの、前記取得したオブジェクト情報それぞれの表示位置を、前記オブジェクト情報に関連付けて記憶された時間情報と優先度とに基づき制御する表示制御手段と、
をコンピュータに実行させるためのプログラム。
【発明の詳細な説明】
【技術分野】
【０００１】
本発明は、表示制御装置、表示制御システム、表示制御方法及びプログラムに関する。
【背景技術】
【０００２】
大勢の人々が集まって、そのときのそれぞれの願いや感謝を自らの手で形にし、どこかに集めるという行事が古くから世界中で行われている。多くの場合、人々の願いは紙等の媒体に書き込まれる。例えば、七夕の短冊や、神社に奉納する絵馬等、様々な方法で大勢の人々の願いが書きとめられ、一箇所に集められる。願いの書かれた媒体は、木につるす、壁に貼り付ける等の方法で集められ、参加者が願いや感謝の情報を共有できるように表示される。
【０００３】
例えば、特許文献１には、ユーザが撮影した画像をそれらが撮影された日時や出来事と関連付けて整理し、一群のディジタルオブジェクトとして提示する方法が提案されている。
【発明の概要】
【発明が解決しようとする課題】
【０００４】
しかしながら、紙等の媒体を使用すると、多くの場合、メッセージが書かれた媒体を掲示する場所が物理的に限られてしまう。このため、行事毎に集められた沢山の媒体は重なり合い、高い所や奥に掲示された媒体は参加者に見えない等、参加者間での思いを共有する妨げとなっていた。また、行事が終わるとほとんどの場合、参加者間で共有した思いは改めて見ることが困難になる。さらに、思いの書かれた媒体は、掲示する場所に残す必要があり、持ち帰ることができないため、本人が行事に参加した記念が残らない。
【０００５】
また、特許文献１には、一ユーザに関する電子データの収集及び自動整理に関する技術が開示され、大勢の人が参加するイベントにおいて参加者間での思いを共有するという課題や、参加者間での思いを共有するための表示の制御については開示されていない。
【０００６】
そこで、オブジェクトを画面上に効果的に表示することが可能な表示制御装置、表示制御システム、表示制御方法及びプログラムを提供することを目的とする。
【課題を解決するための手段】
【０００７】
一つの案では、
画面上に表示するオブジェクト情報を取得する取得手段と、
取得したオブジェクト情報のそれぞれに対して、該取得したオブジェクト情報と、時間情報と、該取得したオブジェクトの表示に関する優先度とを関連付けて記憶する記憶手段と、
画面上に１以上の前記オブジェクトを表示するときの、前記取得したオブジェクト情報それぞれの表示位置を、前記オブジェクト情報に関連付けて記憶された時間情報と優先度とに基づき制御する表示制御手段と、
を有する表示制御装置が提供される。
【発明の効果】
【０００８】
一態様によれば、オブジェクトを画面上に効果的に表示することができる。
【図面の簡単な説明】
【０００９】
【図１】一実施形態に係る表示制御システムを示した図。
【図２】一実施形態に係る表示装置と入力装置の配置の一例を示した図。
【図３】一実施形態に係るサーバの機能構成の一例を示した図。
【図４】一実施形態に係る入力処理の一例を示したフローチャート。
【図５】一実施形態に係る入力画面の一例を示した図。
【図６】一実施形態に係る入力画面の一例を示した図。
【図７】一実施形態に係る情報の入力から表示制御までを説明するための図。
【図８】一実施形態に係るイベント情報ＤＢに記憶された情報の一例を示した図。
【図９】一実施形態に係る全体表示処理の一例を示したフローチャート。
【図１０】一実施形態に係る表示画面の一例を示した図。
【図１１】一実施形態に係る表示制御の一例を説明するための図。
【図１２】一実施形態に係る表示制御の一例を説明するための図。
【図１３】一実施形態に係る表示画面の一例を示した図。
【図１４】一実施形態に係る表示画面の遷移の一例を示した図。
【図１５Ａ】一実施形態に係る探索表示処理の一例を示したフローチャート。
【図１５Ｂ】一実施形態に係る探索表示処理の一例を示したフローチャート。
【図１６Ａ】一実施形態に係る探索された表示画面の一例を示した図。
【図１６Ｂ】一実施形態に係る探索された表示画面の一例を示した図。
【図１７】一実施形態に係る検索された表示画面の一例を示した図。
【図１８】一実施形態に係る探索された表示画面の一例を示した図。
【図１９】一実施形態に係る全体表示処理の変形例を示したフローチャート。
【図２０】一実施形態に係る表示画面の一例を示した図。
【図２１】一実施形態に係る探索表示処理の変形例を示したフローチャート。
【図２２】一実施形態に係るサーバのハードウェア構成の一例を示した図。
【発明を実施するための形態】
【００１０】
以下、本発明の実施形態について添付の図面を参照しながら説明する。なお、本明細書及び図面において、実質的に同一の機能構成を有する構成要素については、同一の符号を付することにより重複した説明を省く。
【００１１】
［表示制御システム］
まず、本発明の一実施形態に係る表示制御システムの構成について、図１を参照しながら説明する。図１は、一実施形態に係る表示制御システムを示した図である。
【００１２】
本実施形態に係る表示制御システム１は、電子ホワイトボード１０、スキャナ１５、ＭＦＰ（Multi Function Printer:複合機）２０、サーバ３０、ノートＰＣ４０、タブレット型端末４５及びプロジェクタ５０を有し、ネットワークを介して通信可能に接続する。なお、プロジェクタ５０は２台図示しているが、その数は１台でもよく複数台でもよい。同様に、電子ホワイトボード１０、スキャナ１５、ＭＦＰ２０、サーバ３０、ノートＰＣ４０及びタブレット型端末４５のそれぞれは１台のみ図示しているが、各機器の数は１台でもよく複数台でもよい。
【００１３】
本実施形態では、入力手段として、電子ホワイトボード１０とスキャナ１５とを有している。電子ホワイトボード１０は、直接電子的に情報の入力を行う（直接入力方式）。直接入力方式の場合、イベント会場に準備された電子ホワイトボード１０やアプリケーションを使用して情報の入力を行う。例えば、電子ホワイトボード１０は、イベントの参加者（ユーザ）が、画面上に専用のペンで手書きした情報やキーボードやマウスを使用して入力した情報を入力する。
【００１４】
スキャナ１５は、メッセージが記載された紙等の媒体を光学的に読み取ることで情報の入力を行う（光学入力方式（間接入力方式））。このように、本実施形態に係る表示制御システムでは、入力装置と読取装置とを使用して２系統の入力（直接入力と間接入力）を行うクロスメディアの利用が可能である。これにより、特定のイベントに直接参加した者が、自らの思いを情報として入力することができるだけでなく、イベントに直接参加していない者も、自らの思いを書き込んだ紙をイベント主催者の機器に送信することで、イベントの参加者と同様に自己の思いを記した情報を入力することができる。
【００１５】
なお電子ホワイトボード１０及びスキャナ１５は、画面上に表示するオブジェクト（画像データやテキストデータ等）を直接あるいは間接を問わず入力し、サーバ３０に送信する機能を備えるオブジェクト入力装置の一例である。従って、同様の用途で用いられる装置であれば、例えば、デジタルカメラや、カメラ機能付携帯端末等であってもよく、またそれ以外の装置であってもよい。
【００１６】
ＭＦＰ２０は、ネットワーク機能を有する画像形成装置であり、プリンタの他，デジタル複写機，デジタル複合機等、印刷機能及び通信機能を備える電子機器の一例である。ＭＦＰ２０は通信機能により電子ホワイトボード１０から受信した画像データを、印刷機能により印刷出力することが可能である。ＭＦＰ２０のスキャナ機能を利用する場合、表示制御システム１は、ＭＦＰ２０と別体でスキャナ１５を備えてもよいし、備えなくてもよい。ただし、イベント会場に大勢の参加者が集まることを想定すると、ＭＦＰ２０と別体でスキャナ１５を備える事、つまり、画像データ入力用と画像データ出力用の装置とを別体で用意する事が好ましい。
【００１７】
サーバ３０は、電子ホワイトボード１０及びスキャナ１５等から入力された情報をイベント情報ＤＢ３２０（図８参照）に記録する。なお、イベント情報ＤＢ３２０は、サーバ３０が備えるＨＤＤ等の記憶装置に記憶されていても、ネットワークを介して接続する記憶装置に記憶されていてもよく、所定の記憶装置に記憶されているものとする。サーバ３０は、イベント情報ＤＢ３２０に記憶されたオブジェクト情報等に基づき、イベントに関する記録を示したオブジェクトを画面上に表示するための表示制御を行う。
【００１８】
ノートＰＣ４０は、プロジェクタ５０による画面表示を制御する。例えば、サーバ３０から受信した表示画面（表示画面データ）を、複数台のプロジェクタ５０の表示画面を連結した１つの表示画面上に表示（投影）する場合に、各プロジェクタに表示させる表示画面の表示制御を行うことも可能である。また、任意のプロジェクタ５０の画面へ表示するオブジェクトを強制的に制御するためのコマンドを入力してもよい。
【００１９】
タブレット型端末４５は、ユーザによるタッチ操作が可能な自身の表示装置にサーバ３０から受信した表示画面を表示する。また、画面に表示されている画像から必要な画像を探索するためのコマンドを入力してもよい。ノートＰＣ４０は、画面に表示されている画像から必要な画像を探索するためのコマンドを入力してもよい。ノートＰＣ４０やタブレット型端末４５は、情報を入力する入力装置としても機能することができる。なお、サーバ装置３０が備える表示制御機能の少なくとも一部と、ノートＰＣ４０及びタブレット端末４５が備える表示制御機能の少なくとも一部とは、いずれかの装置（例えばサーバ装置３０）に集約させることが可能である。また、サーバ３０、ノートＰＣ４０、タブレット型端末４５は、一般的なコンピュータの機能を備えた装置であり、オブジェクトの表示制御に関する情報処理を行う情報処理装置（表示制御装置）の一例である。従って、同様の用途で用いられる装置であれば、例えば、ＰＣや、シンクライアント等であってもよく、またそれ以外の装置であってもよい。
【００２０】
プロジェクタ５０は、サーバ３０によりオブジェクト化されたイベントに関する記録を表示装置（表示領域）に表示（投影）する。サーバ３０による表示の制御方法については、後述される。なお、プロジェクタ５０及びタブレット型端末４５は、表示画面（例えば、表示装置（スクリーン等の表示媒体）に投影する表示領域や、装置自身が備えるディスプレイの表示領域）にオブジェクトを表示する機能を備えるオブジェクト表示装置（表示手段）の一例である。従って、同様の用途で用いられる装置であれば、例えば、ＰＣや携帯端末、電子ペーパー等であってもよく、またそれ以外の装置であってもよい。
【００２１】
従って、本発明の一実施形態に係る表示制御システム１においては、例えばタブレット型端末４５のように、オブジェクトを表示するオブジェクト表示装置としての機能と、オブジェクトの表示制御に関する情報処理を行う表示制御装置としての機能を兼ね備える装置が存在してもよい。
【００２２】
本発明の一実施形態に係る表示制御システム１は、オブジェクトを入力する電子ホワイトボード１０等のオブジェクト入力装置と、オブジェクトの表示に関する表示制御処理を行い、表示画面に表示する表示画面データを作成するサーバ３０等の表示制御装置と、表示画面データに基づいてオブジェクトを表示画面に表示するプロジェクタ５０等のオブジェクト表示装置が存在する。
【００２３】
図２には、あるイベント会場における、一実施形態に係る表示装置と入力装置との配置例が示されている。プロジェクタ５０は、大画面を有する表示装置（表示領域）６０の画面６１上にプロジェクタ５０から出力された、オブジェクト化されたイベントに関する記録を表示する。図２では、表示装置６０の画面６１の反対側に電子ホワイトボード１０が配置されている。例えば、イベント会場にいる参加者Ｕは、表示装置６０の画面６１を閲覧し、その後、電子ホワイトボード１０の入力画面１１の前に立ち、特定のペンを用いて情報を入力してもよい。このとき、できるだけ多くの参加者に自己の思いを残してもらうために、一参加者の記録開始から終了までの時間を制限し、電子ホワイトボード１０の占有時間が短くなるように制御してもよい。なお、一実施形態に係る表示装置６０と電子ホワイトボード１０の配置及び個数は、図２に示した配置及び個数に限られない。以上、本実施形態に係る表示制御システム１の一例を説明した。
【００２４】
イベント会場では、予め願いを記述したカードのオブジェクト情報や、特定のオブジェクト情報等を例えばノートＰＣのキーボードのキー（１番など）に割り当てておく。このようにすることで、ノートＰＣの操作者（ユーザ）はキーボードのキーを押下して、特定のプロジェクタ５０において拡大表示させるオブジェクトを指定することが出来る。このような用いられ方は、例えば、イベント会場において、オブジェクトを表示して参加者（ユーザ）が観覧するだけのプロジェクタ５０の他に、司会者と参加者による参加型イベントを用意し、司会者や参加者が特定のオブジェクトについてコメントするようなコーナーを設ける場合に有用である。その際、コーナー用にオブジェクトを表示するプロジェクタ５０については、ノートＰＣ４０から表示させる特定のオブジェクトを指定できることで、司会者のタイミングに合わせた特定オブジェクトの表示が可能となる。なお、コメントされるオブジェクトは、静止画であってもよく、動画であってもよい。
【００２５】
なお、具体的な利用シーンとしてイベント会場におけるイベントを想定してシステムの説明を行ったが、あくまで本発明を適用する利用シーンの一例であって、どのような場所でどのようなイベントが行われるかによって本発明の適用範囲が限定されるものではない。
【００２６】
［サーバの機能構成］
次に、一実施形態に係るサーバ３０の機能構成の一例について、図３を参照しながら説明する。図３は、一実施形態に係るサーバ３０の機能構成の一例を示した図である。サーバ３０は、取得手段３１、記憶手段３２、表示制御手段３３及び演算手段３４を有する。
【００２７】
取得手段３１は、イベントに関する記録を画面上のオブジェクトに表示するためのオブジェクト情報を取得する。電子ホワイトボード１０から入力された情報及びスキャナ１５から読み取られた情報は、取得手段３１により取得されたオブジェクト情報の一例である。取得手段３１は、ネットワークを介して著名人やその他の参加者のそれぞれの思いやメッセージを記したオブジェクト情報を受信することにより、オブジェクト情報を取得してもよい。
【００２８】
記憶手段３２は、取得手段３１により取得されたオブジェクト情報、オブジェクトに表示されたイベントに関する時間情報、及びオブジェクトの表示に関する優先度を含むイベント情報を、後述されるイベント情報ＤＢ３２０に記憶する。
【００２９】
表示制御手段３３は、取得されたオブジェクト情報に基づき画面上に表示されるオブジェクトの表示位置を、オブジェクト情報に関連付けて記憶された時間情報と優先度とに基づき制御する。表示制御手段３３により制御された表示内容は、プロジェクタ５０から出力され、表示装置６０に表示される。また、表示制御手段３３により制御された表示内容は、タブレット型端末４５が備える表示装置に表示される。
【００３０】
演算手段３４は、画面上に表示されるオブジェクト数を演算する。以上、本実施形態に係るサーバ３０の機能構成の一例を説明した。なお、サーバ３０は、イベントに関する記録を画面上のオブジェクトの表示位置を制御する表示制御装置の一例である。
【００３１】
なお、サーバ３０の表示制御手段３３により制御された表示内容（表示画面データ）を、ノートＰＣ４０やタブレット型端末４５が受信し、さらに表示装置への表示制御を行ってもよい。つまり、ノートＰＣ４０やタブレット型端末４５が表示制御手段を備えていてもよい。
【００３２】
例えば、特定のプロジェクタ５０に対する表示制御を行う場合や、検索機能等の特定の機能を持たせた表示制御を行う場合は、全ての表示装置に対する表示制御をサーバ３０で行う代わりに、サーバ３０においては全ての表示装置に共通する表示制御を行い、表示装置によって異なる差分の表示制御をノートＰＣやタブレット型端末４５が行うようにしてもよい。一例として、特定のプロジェクタ５０に対して指定したオブジェクトを表示させる表示制御をノートＰＣ４０が行うことや、検索や閲覧等を要求するユーザ操作に応じた画面制御をタブレット型端末４５が行うことが挙げられる。
【００３３】
つまり、表示装置への表示を制御する複数の処理に関して、サーバ３０単体で実現するか、あるいはノートＰＣ４０やタブレット型端末４５等と連携して実現するかについては適宜選択すればよい。従って、図３の機能構成は、サーバ３０の機能構成として説明したが、サーバ３０とノートＰＣ４０、あるいはサーバ３０とタブレット型端末４５といった表示制御を行う複数の装置（表示制御装置）で実現される表示制御処理システムの機能構成として捉えることも出来る。
【００３４】
［入力処理］
（直接入力方式）
次に、一実施形態に係る入力処理の一例について、図４を参照しながら説明する。図４は、一実施形態に係る入力処理の一例を示したフローチャートである。ここでは、電子ホワイトボード１０を用いた直接入力方式の入力処理を例に挙げて説明する。
【００３５】
一実施形態に係る入力処理が開始されると、イベント参加者(ユーザ)の選択操作や入力操作に応じて、電子ホワイトボード１０は、参加者の所在地がある地域、参加者の性別、参加者の年代等、参加者の属性情報を入力する（ステップＳ１０）。図５には、電子ホワイトボード１０に表示される地域を入力するための画面の一例が示されている。図５の画面を使用して、参加者が自己の所在地を選択すると、電子ホワイトボード１０には参加者の地域情報が入力される。
【００３６】
次に、電子ホワイトボード１０は、参加者の操作に応じてイベント主催者側が提供するイベント用のフレーム内に自らの写真を撮影し（ステップＳ１２）、撮影した写真にメッセージを入力する（ステップＳ１４）。写真の撮影は、内蔵あるいは外付けのカメラによって実現できる。ステップＳ１２、Ｓ１４はいずれか一方のみが行われてもよい。次に、電子ホワイトボード１０は、生成された画像データをオブジェクト情報として、イベント情報ＤＢ３２０に送信して保存する（ステップＳ１６）。また、参加者の属性情報や、電子ホワイトボード１０を識別する識別情報（例えば機番）も送信し、イベント情報ＤＢにおいてオブジェクト情報と関連付けて保存される。
【００３７】
図６（ａ）には、電子ホワイトボード１０に取り付けられた図示しないカメラを用いて参加者の写真が撮影された状態の一例が示されている。また、図６（ｂ）には、撮影した写真に対して参加者の操作に応じてメッセージ１３が入力された状態の一例が示されている。写真やメッセージ１３は、イベントに関する記録の一例である。なお、予め背景画像を記憶しておき、背景画像の上に人物の被写体を重ねてもよい。
【００３８】
この状態で、電子ホワイトボード１０は、入力された写真等の画像データを印刷するかを判定する（ステップＳ１８）。図６（ｂ）に示される画面右上の印刷ボタン１４が押された場合、電子ホワイトボード１０は、画像データを印刷すると判定し、プリントアウトを実行した後（ステップＳ２０）、本入力処理を終了する。なお、画像データをプリントアウトした用紙には、該画像データ（オブジェクト）のシリアル番号も印字される。印刷ボタン１４が押されない場合、電子ホワイトボード１０は、印刷せずに本入力処理を終了する。以上、本実施形態に係る入力処理の一例を説明した。
【００３９】
これによれば、図７に示されるように、まず、イベント会場に設置された電子ホワイトボード１０を使用して、参加者の画像やメッセージが含まれた画像データが入力される。入力された画像データは、ＭＦＰ２０を用いて印刷することで参加者にイベントの記念として持ち帰ってもらうことができる。また、電子ホワイトボード１０を使用して、参加者の属性情報が入力される。属性情報は、画像データ等の入力情報をオブジェクト情報として、オブジェクト情報に関連付けてイベント情報ＤＢ３２０に保存される。
【００４０】
以上に説明した本実施形態に係る入力処理によれば、参加者は、カメラにより自らの写真を撮り、撮られた写真をイベントに関連するフレームやスタンプ等と合成し、撮られた写真にメッセージや絵を書き入れることができる。イベント主催者は、このようにして完成された参加者の思いをイベントの記録として表示可能な画像データ等のオブジェクト情報を入手することができる。また、参加者の所在地、年代、性別等を参加者に入力してもらうことにより、参加者の属性情報をオブジェクト情報に関連付けてイベント情報ＤＢ３２０に蓄積することができる。
【００４１】
さらに、完成した参加者の思いが示された画像データ等のオブジェクト情報を印刷し、参加者に提供することができる。これにより、イベントの参加者の手元にイベントに参加した際の思いを残すことができる。
【００４２】
なお、参加者の属性情報は、上述した年代、性別、地域等に限らない。また、地域情報は、日本の都道府県に限らず、他の国を含めてもよい。例えば、図５の画面上に他の国を指定するための選択ボタンを用意し、該選択ボタンが押下された場合に、国を指定する情報（例えば国際電話の国番号等）を入力させる画面を表示するようにしてもよい。
【００４３】
（イベント情報ＤＢ）
記憶手段３２により記憶されるイベント情報ＤＢ３２０についての詳細を説明する。図８（ａ）は、イベント情報ＤＢ３２０に保存された情報の一例を示す。
【００４４】
イベント情報ＤＢ３２０には、オブジェクト情報３２２が記憶され、オブジェクト情報３２２毎に画像ＩＤ３２１、所在地３２３、性別３２４、年代３２５、時間情報３２６、重み情報３２７、イベント名３２８及び機材Ｎｏ．３２９が関連付けて記憶されている。オブジェクト情報３２２は、イベントに関する記録を画面上のオブジェクトに表示するための情報であり、例えば、上述した画像データやテキストデータが一例として挙げられる。本実施形態では、複数のオブジェクトを画面上に表示することが可能であり、オブジェクトは画面上に表示する表示画面データにおいて一つの表示体（表示対象）として取り扱うことの出来る表示対象データと捉えることが出来る。オブジェクト情報３２２は、静止画であってもよく、動画であってもよい。また、オブジェクト情報３２２は、三次元画像であってもよく、二次元画像であってもよい。
【００４５】
オブジェクト情報３２２には、画像ＩＤ３２１が付けられ、画像ＩＤ３２１により識別可能である。所在地３２３、性別３２４、年代３２５は、参加者の属性情報の一例である。
【００４６】
時間情報３２６は、オブジェクトが表示された（あるいはオブジェクトがイベント情報ＤＢ３２０に表示対象として保存された）イベントに関する日時を示す情報の一例である。時間情報３２６は、例えば、オブジェクトに示されるイベントの記録がなされた日時、つまり、オブジェクトに示される画像データが生成された日時であってもよい。また、時間情報３２６は、オブジェクト情報が入力された、又は読み込まれた日時であってもよい。
【００４７】
重み情報３２７は、オブジェクトの表示に関する優先度の一例であり、オブジェクトを画面上に表示する際の優先順位の指標になる。言い換えれば、オブジェクトを表示する位置（座標）や、他のオブジェクトと重なる場合の表示順（前面、背面といったオブジェクト間の相関関係）を決定する際に利用する評価パラメータ（評価情報）の一例である。例えば、重み情報３２７に示される重みが高いほど、オブジェクトを画面上に表示する優先順位を高くしてもよい。つまり、重み情報３２７に示される重みが高いほど、画面上の参加者の目に止まり易い位置に表示される。
【００４８】
イベント名３２８は、例えば、電子ホワイトボード１０や表示装置６０が配置されている会場のイベントの識別情報の一例である。機材Ｎｏ．３２９は、イベント名３２８により識別される１又は複数のイベントの会場に配置された機材の識別番号である。
【００４９】
以上に説明したイベント情報ＤＢ３２０に蓄積された情報に基づき、イベントの主催者側は、参加者がイベントに「何処から」、「どんな人たち」が、「どれだけ」の思いを残したかを把握し、次のイベントに利用することができる。例えば、主催者は、参加者の属性や動向を把握して思いの同じ人達へ賛同を求める寄付集めや、スポンサー広告等を行い、次のイベントをより豊かにする手段を講じることができる。
【００５０】
また、イベントの主催者側は、イベント情報ＤＢ３２０に蓄積された情報に基づき、イベント開催時から例えば１０年経過後に参加者の所在地３２３に参加の記録やメッセージを送信する等、参加者に対する未来のイベントを企画することができる。
【００５１】
（間接入力方式）
本実施形態では、他の入力手段の例として、スキャナ１５等の入力装置を使用した光学的入力方式（間接入力方式）を用いることができる。光学的入力方式の場合、例えばイベントの主催者が準備した形式の紙等の媒体に参加者それぞれの思いを記載する。紙のレイアウトとしては、参加者の所在地、年代、性別等の属性情報を記載する欄（属性情報として読み取る領域）と、参加者の思いをメッセージや画像で表示する欄（オブジェクト情報として読み取る領域）とを有する例が挙げられる。ただし、紙のレイアウトは、これに限られない。
【００５２】
紙に書かれたメッセージや画像の情報は、スキャナ１５により読み取られ、イベント情報ＤＢ３２０に蓄積される。読み取った後の紙等の媒体は、媒体を提供した参加者に返却される。これにより、参加者の手元にイベントへの思いを残すことができる。光学的入力方式の利点の一つは、直接入力方式の入力装置の機能を必要としないことと、媒体へ記載する場所や時間に制約がないこと、ユーザに自身の写真画像を載せない（表示しない）形でも参加できる選択肢を与えること等である（直接入力方式でもフレームに写らなければ自身の写真画像は載らないが、通常載ることが前提と考えられる参加方法である。）。
【００５３】
［全体表示処理］
次に、一実施形態に係る全体表示処理の一例について、図９を参照しながら説明する。図９は、一実施形態に係る全体表示処理の一例を示したフローチャートである。ここでは、表示装置６０の画面上に表示されたツリーに、イベントに関する記録を記す多数のオブジェクトを表示する処理を例に挙げて説明する。
【００５４】
本全体表示処理が開始されると、表示制御手段３３は、オブジェクト情報に関連付く時間情報３２６及び重み情報３２７に基づき、各オブジェクトの表示位置を制御する（Ｓ３０）。具体的な表示位置の制御方法の例としては、例えば図１１の方法や図１２の方法等がある。
【００５５】
図１１は、時間情報３２６に基づきｘｙ方向（平面）のオブジェクトの表示位置（表示空間における平面上の配置位置）を制御し、重み情報３２７に基づきｚ方向（奥行き）の表示位置（表示空間における奥行き方向の表示順）を制御する方法を説明した図である。
【００５６】
図１１（ａ）は、時間情報３２６に基づき、ｘｙ方向のオブジェクトの表示位置が制御された結果の一例を示す。図１１（ｂ）は、重み情報３２７に基づき、ｚ方向のオブジェクトの表示位置が制御された結果の一例を示す。
【００５７】
「ｐｉｃ  Ａ」、「ｐｉｃ  Ｂ」、「ｐｉｃ  Ｃ」で示されるオブジェクト１２のそれぞれは、図８のイベント情報ＤＢ３２０に記憶されている画像ＩＤ３２１がそれぞれ「ＩＤＡ」、「ＩＤＢ」、「ＩＤＣ」で示されるオブジェクト情報３２２に対応する。イベント情報ＤＢ３２０に記憶されている時間情報３２６を参照すると、各オブジェクト１２は、「ｐｉｃ  Ｂ」、「ｐｉｃ  Ｃ」、「ｐｉｃ  Ａ」の順に古い日時の時間情報３２６を有する。
【００５８】
図１１（ａ）に示したように、時間情報３２６に基づきオブジェクト１２のｘｙ方向の表示位置を制御する場合、時間情報３２６が新しい日時を示すオブジェクト１２ほど、ｙ方向の値が大きくなる位置に表示される。よって、ｙ方向の値が０に近づくほど、オブジェクト１２の時間情報３２６は古い日時を示す。この結果、図１１（ａ）では、各オブジェクト１２は、画面の上から下に向かって日時の新しい順に「ｐｉｃ  Ａ」、「ｐｉｃ  Ｃ」、「ｐｉｃ  Ｂ」と表示されることになる。
【００５９】
また、イベント情報ＤＢ３２０に記憶されている重み情報３２７を参照すると、各オブジェクト１２は、「ｐｉｃ  Ａ」、「ｐｉｃ  Ｃ」、「ｐｉｃ  Ｂ」の順に大きい重みの重み情報３２７を有する。
【００６０】
図１１（ｂ）に示したように、重み情報３２７に基づきオブジェクト１２のｚ方向の表示位置を制御する場合、重み情報３２７が大きい重みを示すオブジェクト１２ほど、ｚ方向の値が０に近づく位置に表示される。よって、ｚ方向の値が大きくなるほど、オブジェクト１２の重み情報３２７は小さい重みを示す。この結果、図１１（ｂ）では、各オブジェクト１２は、「ｐｉｃ  Ａ」、「ｐｉｃ  Ｃ」、「ｐｉｃ  Ｂ」の順で手前から奥に表示されることになる。これにより、「ｐｉｃ  Ｂ」のオブジェクト１２は、「ｐｉｃ  Ｃ」と一部が重なった状態で「ｐｉｃ  Ｃ」のオブジェクト１２の後方に表示される。
【００６１】
また、図１２は、重み情報３２７に基づきｘｙ方向（平面）のオブジェクトの表示位置（表示空間における平面上の配置位置）を制御し、時間情報３２６に基づきｚ方向（奥行き）の表示位置（表示空間における奥行き方向の表示順）を制御する方法を説明した図である。
【００６２】
図１２（ａ）は、重み情報３２７に基づき、ｘｙ方向のオブジェクトの表示位置が制御された結果の一例を示す。図１２（ｂ）は、時間情報３２６に基づき、ｚ方向のオブジェクトの表示位置が制御された結果の一例を示す。
【００６３】
各オブジェクト１２は、「ｐｉｃ  Ａ」、「ｐｉｃ  Ｃ」、「ｐｉｃ  Ｂ」の順に大きい重みを有する。図１２（ａ）に示したように、重み情報３２７に基づきオブジェクト１２のｘｙ方向の表示位置を制御する場合、重み情報３２７が大きい重みを示すオブジェクト１２ほど、ｙ方向の値が大きくなる位置に表示される。よって、ｙ方向の値が０に近づくほど、オブジェクト１２の重み情報３２７は小さい重みをもつ。この結果、図１２（ａ）では、各オブジェクト１２は、画面の上から下に向かって重みが大きい順に「ｐｉｃ  Ａ」、「ｐｉｃ  Ｃ」、「ｐｉｃ  Ｂ」と表示されることになる。
【００６４】
また、各オブジェクト１２は、「ｐｉｃ  Ｂ」、「ｐｉｃ  Ｃ」、「ｐｉｃ  Ａ」の順に古い日時の時間情報３２６を有する。よって、図１２（ｂ）に示したように、時間情報３２６に基づきオブジェクト１２のｚ方向の表示位置を制御する場合、時間情報３２６が古い日時を示すオブジェクト１２ほど、ｚ方向の値が大きくなる位置に表示される。よって、ｚ方向の値が０に近づくほど、オブジェクト１２の時間情報３２６は新しい日時を示す。この結果、図１２（ｂ）では、各オブジェクト１２は、「ｐｉｃ  Ａ」、「ｐｉｃ  Ｃ」、「ｐｉｃ  Ｂ」の順で手前から奥に表示されることになる。これにより、「ｐｉｃ  Ｂ」のオブジェクト１２は、「ｐｉｃ  Ｃ」と一部が重なった状態で「ｐｉｃ  Ｃ」のオブジェクト１２の後方に表示される。
【００６５】
以上に説明した、表示制御手段３３によるｘｙ方向のオブジェクトの表示位置の制御は、画面に対して水平方向のオブジェクトの表示位置の制御の一例である。また、表示制御手段３３によるｚ方向のオブジェクトの表示位置の制御は、画面に対して奥行き方向（画面に対して垂直方向）のオブジェクトの表示位置の制御の一例である。
【００６６】
なお、オブジェクトの表示位置の制御方法は、図１１の方法、図１２の方法に限らない。例えば、重み情報３２７が大きいほど、ｙ方向の値が大きくなる（高い位置になる）ように表示制御する代わりに、ｙ方向の値が小さくなる（低い位置になる）ようにする方法や、あるいは重み情報３２７が大きい順に、中心から螺旋を描くように順に配置する（１つの平面上（ｘｙ平面）で重み情報３２７の大きいものほど中心に配置する）方法等であってもよい。また例えば、時間情報３２６及び重み情報３２７を複合した評価値（評価情報）を利用してもよい。時間の新しいものから古いものになるにつれて値が小さくなるように、時間情報を評価値に変換した評価パラメータと、重み情報３２７の値とを掛け合わせた値を表示位置決定用の評価値として算出し、該評価値の大きいオブジェクトほど前面（ｚ方向の値が小さくなる位置）に、また、同一平面上（ｚ方向の表示位置が同一）のオブジェクトについては該評価値の大きいオブジェクトほど高い位置（ｙ方向の値が大きくなる位置）に表示させるようにしてもよい。この場合、１つの平面（ｘｙ平面）に表示するオブジェクトの数、及び配置位置と優先順との対応関係を設定しておけば、算出した値から各オブジェクトの表示位置の制御を実行することが出来る。いずれの表示位置の制御方法を用いるかは、予め設定しておけばよい。
【００６７】
図９に戻り、イベント情報ＤＢ３２０に登録された複数のオブジェクト１２の表示位置が制御された後、表示制御手段３３は、ツリーの全体を表示する（ステップＳ３２）。ツリー１００の表示は、図１０に示されるオブジェクトが表示されていない状態から、図７の右側に示される多数のオブジェクト１２が表示された状態に制御される。ツリー１００には、上記のようにして表示位置が制御されたオブジェクト１２が木の葉のように重なり、上下、左右、斜めに並べられて表示されている。
【００６８】
ツリー１００は、画面上でオブジェクト１２（第一のオブジェクト）を支持するように表示される支持オブジェクト（第二のオブジェクト）の一例である。支持オブジェクトは、ツリー以外の表示であってもよい。支持オブジェクトは、複数のオブジェクト１２を表示できるようなサイズに表示される。
【００６９】
従って、支持オブジェクトは、画面上に１以上の各オブジェクトを表示（配置）する表示領域（配置領域）を規定する役割を備えており、各オブジェクトの配置位置は、支持オブジェクトの表示領域内に配置される。但し、例えば各オブジェクトの中心点に対する配置位置が制御される場合、オブジェクトの中心点が支持オブジェクトの外周に配置されると、オブジェクトの外周は支持オブジェクトの表示領域をはみ出ることもあるため、オブジェクトが表示される領域は、支持オブジェクトの表示領域の近傍領域を含めてもよく、支持オブジェクトの表示領域とは、この意を包含するものとする。
【００７０】
表示制御手段３３は、ツリーの全体を表示した後、新たなオブジェクト情報がイベント情報ＤＢ３２０に登録されたかを判定する（ステップＳ３４）。新たなオブジェクト情報が登録されていないと判定された場合、本全体表示処理を終了する。
【００７１】
一方、新たなオブジェクト情報が登録されたと判定された場合、表示制御手段３３は、新たなオブジェクト情報に基づくオブジェクトの表示位置を制御する。新たなオブジェクトの表示位置は、ステップＳ３０の処理に基づき算出される。表示制御手段３３は、新たなオブジェクトの表示位置に新たなオブジェクトを表示し、既に表示されているオブジェクトに新たなオブジェクトをソートし（ステップＳ３６）、本全体表示処理を終了する。
【００７２】
以上、本実施形態に係る全体表示処理によれば、イベントへの思いを例えば思いカードの形式で表示したオブジェクトを、参加者の思いを共有するために大型画面に映し出されたツリー形状の支持オブジェクトに表示させ、そのツリーに思いカードが集まる表示を演出することができる。
【００７３】
その際、登録された参加者の写真等を表示したオブジェクトは、各オブジェクト情報に紐付けられた時間情報３２６と重み情報３２７に基づき、画面に対して水平方向の表示位置と、画面に対して奥行き方向の表示位置とが制御される。これにより、表示の優先順位が高いオブジェクトや最近登録されたオブジェクトほど、参加者の注目度が高いと想定され、イベントの参加者の目に留まりやすい位置に表示することができる。これにより、イベントに関する記録を示したオブジェクトを画面上に効果的に表示することができる。また、参加者が画面上に表示されたオブジェクトを閲覧することで、大勢の人が参加するイベントにおいて参加者間での思いを共有することができる。
【００７４】
特に、著名なアーティストの画像等を表示したオブジェクト１２は、スターカードとして最も参加者の目に留まりやすい位置に表示にする。これにより、参加者が見たいオブジェクトにより早く到達できる可能性が高くなる。例えば、本実施形態では、図８（ｂ）に示したように、重み情報３２７とオブジェクト１２の枠の色３５２と枠の型３５３とを予め定められた表示テーブル３５０に記憶しておく。そして、イベント情報ＤＢ３２０に登録されているオブジェクト１２の重み情報３２７に基づき、そのオブジェクト１２の枠の色や形を変化させる。例えば、イベント情報ＤＢ３２０において、著名なアーティストの画像等を示したオブジェクト情報に紐付けられた重み情報３２７に無限大の重みを登録してもよい。これにより、表示制御手段３３は、表示テーブル３５０に基づき、無限大の重みをもつスターカードのオブジェクト１２の枠を金色で表示し、枠の型をスター用の型で表示する。一方、一般的な参加者のオブジェクト情報に紐付けられた重み情報３２７に１００を登録しておけば、表示制御手段３３は、表示テーブル３５０に基づき、１００の重みをもつオブジェクト１２の枠を銀色で表示し、オブジェクト１２の枠の型を一般用で表示する。例えば、図１１及び図１２の「ｐｉｃ  Ａ」は枠が金色のスターカードとして表示され、「ｐｉｃ  Ｂ」は枠が銅色の一般カード及び「ｐｉｃ  Ｃ」は枠が銀色の一般カードとして表示される例である。このようにしてオブジェクト１２の表示位置に加えて、オブジェクト１２の表示態様を重み情報３２７に基づき変化させることができる。このようにして、スターカードは、表示される色や形状や煌き等、演出が一般参加者の思いカードとは異なる表示を行い、参加者がスターカードを見つけ易いように演出されてもよい。これにより、主催者側は、イベントへの一般参加者のオブジェクトとは別に有名人等のスターカードのオブジェクトを用いて表示の演出を高めることができる。
【００７５】
なお、上記の説明では、スターカードのオブジェクトの重み情報３２７を無限大に設定することで、一般参加者のオブジェクトと比較してスターカードのオブジェクトを目立つ位置に表示した。しかしながら、スターカードのオブジェクトの表示制御は、これに限られず、例えば時間情報３２６を予め定められた特別な時間に設定することで、スターカードのオブジェクトの表示を制御してもよい。
【００７６】
また、例えば、イベントの写真やメッセージが新しく登録された場合、新しく登録された写真等を表示したオブジェクトは、既に表示されているオブジェクトにソートして表示される。その際、新たにソートされるオブジェクトは、拡大された状態から徐々に縮小しながら、求められたオブジェクトの表示位置にソートされる等の表示の演出が行われてもよい。図１３には、例えば、参加者の注目を集める表示の演出の一例として、ソートされた新しいオブジェクト１２ａが、予め定められた時間拡大して表示される様子が示されている。なお、予め定められた時間経過後、新しいオブジェクト１２ａは、既に表示されているオブジェクトと同一サイズまで縮小されて表示される。
【００７７】
また、例えば、ツリーに表示されている思いカードのオブジェクトの枚数によって画面上の表示の演出を変化させてもよい。その一例としては、図８（ｃ）に示したように、ツリーの表示サイズを示すツリー番号３７１と画面上に表示されているカード枚数３７２とを予め定められた枚数テーブル３７０に記憶しておく。演算手段３４は、新しいオブジェクト情報が登録され、画面に表示される度に、カード枚数３７２に「１」を加算する。
【００７８】
そして、表示装置６０の画面上に表示されているオブジェクト１２の数が含まれるカード枚数３７２に対応したツリーＮｏ．３７１に基づき、表示するツリーの表示サイズを変化させる。例えば、画面上のオブジェクト１２の数が５００以下ではツリーＮｏ．３７１が「１」の最小サイズのツリーが表示される。画面上のオブジェクト１２の数が５０１以上になると、ツリーＮｏ．３７１が「２」のサイズのツリーが表示される。このようにして、図１４（ａ）〜図１４（ｃ）に示されるように、画面６１上に表示されるツリー１００のサイズが徐々に大きくなるようにしてもよい。また、オブジェクト１２の数が２０００以上になると、図１４（ｄ）に示されるように、デザインを華やかにしたツリー１００を表示してもよい。なお、図１４ではオブジェクトは便宜上省略され、表示されていない。
【００７９】
更に、表示されているオブジェクトのスライドショーを行ってもよい。例えば、図に示したノートＰＣ４０からスライドショーを行う対象のオブジェクトのシリアル番号の情報を含む指示信号が出力されると、表示装置６０の画面上で対象のオブジェクトについてのスライドショーが開始されるようにしてもよい。
【００８０】
このようにイベントに参加した多くの人の思いを共有化しながら育てていく演出により、イベントに関する記録を示したオブジェクトを画面上にさらに効果的に表示することができる。
【００８１】
［探索表示処理］
次に、一実施形態に係る探索表示処理の一例について、図１５Ａ及び図１５Ｂを参照しながら説明する。図１５Ａ及び図１５Ｂは、一実施形態に係る探索表示処理の一例を示したフローチャートである。
【００８２】
本探索表示処理が開始されると、表示制御手段３３は、まず、ピンチアウト操作を検知したかを判定する（ステップＳ４０）。ピンチアウトとは、２本の指を画面上に載せてその間隔を広げる操作である。つまり、２点の接触点を検知した状態で、さらに２点の接触点間の距離が広がったと判定した状態である。ピンチアウト操作が検知されるまでステップＳ４０を繰り返し、ピンチアウト操作が検知された場合、表示制御手段３３は、画像を拡大表示し、さらに検索ボタンを含む表示を行う（ステップＳ４２）。これにより、所定の表示位置を拡大することで、参加者は自分が閲覧したいオブジェクトとその周辺のオブジェクトの確認が容易になる。
【００８３】
なお、ここではピンチアウト操作について説明したが、ピンチアウトと逆の操作であるピンチイン操作についても同様に処理することができる。ピンチイン操作とは、２本の指を画面上に載せてその間隔を縮める操作である。２点の接触点を検知した状態で、さらに２点の接触点間の距離が縮まったと判定した場合には、ピンチイン操作と判定し、画像を縮小表示する。ピンチアウト操作及びピンチイン操作のいずれも、ユーザの直感的（擬似的）な表現動作による操作であり、これによって、ユーザ操作を容易にすることができる。ただし、ユーザ操作は直感的な表現動作による操作に限らず、例えば、ボタン選択などにより表示を拡大又は縮小するようにしてもよい。
【００８４】
次に、表示制御手段３３は、画面が操作されたかを判定する(ステップＳ４４)。画面が操作されるまでステップＳ４４を繰り返し、画面が操作された場合、表示制御手段３３は、操作の種類を判定する（ステップＳ４６）。
【００８５】
操作の種類が、（１）「ピンチイン／ピンチアウト」の場合、ステップＳ５４以降の処理が行われる。（２）「検索」ボタンのタップの場合、ステップＳ６２以降の処理が行われる。操作の種類が、（３）その他のタップの場合（つまり、「ツリー表示に戻る」ボタンのタップの場合、「レイヤの切り替え」ボタンをタップの場合、特定のオブジェクトをタップした場合）、図１５Ｂの処理が行われる。以下では、（１）〜（３）の場合について順に説明する。
（１）「ピンチイン／ピンチアウト」の場合
ピンチイン又はピンチアウト操作が行われた場合、表示制御手段３３は、ピンチイン又はピンチアウトされた位置を中心として周辺のオブジェクトを縮小または拡大して表示する（ステップＳ５４）。図１６Ａには、ピンチアウト操作により、所定位置の画像が拡大表示された後、さらに左サイドに検索ボタン５１等の各種ボタンが表示された状態が示されている。
【００８６】
オブジェクトは奥行き方向にレイヤ構造になっている。レイヤとは、Ｚ軸方向にいくつかの層構造を有するＸＹ面が形成された各層をいう。例えば、図１６Ａでは、手前からＺ方向にレイヤ１、レイヤ２、レイヤ３の３つのレイヤが表示されている。ただし、レイヤ１の手前やレイヤ３の先にも他のレイヤが存在し、ユーザのピンチイン又はピンチアウト操作に応じて、表示されるレイヤの位置を変化させることができる。
【００８７】
Ｚ方向が時間情報で管理されている場合、同じレイヤに含まれる画像は、ほぼ同じ時刻に記録されたオブジェクトである。例えば、レイヤ１に含まれる複数のオブジェクト１２ｐ１は、ほぼ同じ時刻に記録されたオブジェクトである。先（Ｚ方向に向かって奥）のレイヤの画像ほど、手間のレイヤよりも古い時刻に記録された画像である。よって、レイヤ１，２，３の順で新しい時刻に撮影された画像となる。
【００８８】
Ｚ方向が重み情報で管理されている場合、同じレイヤに含まれる画像は、ほぼ同じ重みをもつオブジェクトである。例えば、レイヤ１のオブジェクトが持つ重み情報は０〜１０、レイヤ２のオブジェクトが持つ重み情報は１１〜２０、レイヤ３のオブジェクトが持つ重み情報は２１〜３０としてもよい。重み情報に基づき、重みが高いレイヤは重みが低いレイヤよりも手前に表示される。
【００８９】
図１５Ａに戻り、次に、表示制御手段３３は、縮小又は拡大された画面が更に操作されたかを判定する（ステップＳ５６）。更には操作されていないと判定された場合、ステップＳ４４に戻る。更に操作されたと判定された場合、表示制御手段３３は、再度、画面操作の種類を判定する（ステップＳ５８）。ピンチイン又はピンチアウトの操作が行われた場合、表示制御手段３３は、ステップＳ５４に戻り、ピンチイン又はピンチアウトされた位置及びその周辺に示されたオブジェクトを縮小または拡大して表示する。フリック又はスワイプの操作が行われた場合、表示制御手段３３は、フリック又はスワイプされた方向へ画面を移動させ（ステップＳ６０）、ステップＳ４４の処理に戻る。これにより、参加者のピンチイン、ピンチアウトフリック又はスワイプの操作に応じて、画面上のオブジェクト１２を拡大、縮小、上下、左右、前後方向へ移動させることができる。
（２）「検索」ボタンのタップの場合
一方、ステップＳ４６にて「検索」ボタン５１（図１６Ａ参照）がタップ操作（タッチ操作）されると、例えば図１７（ａ）に示されるように、表示制御手段３３は、画面上にテンキー４８を表示する（ステップＳ６２）。表示制御手段３３は、参加者がテンキー４８を押下することにより、オブジェクトのシリアル番号が入力され、かつ検索ボタン４９が押されたかを判定する（ステップＳ６４）。
【００９０】
検索ボタン４９が押されると、表示制御手段３３は、入力されたシリアル番号のオブジェクトを表示装置６０の画面６１上に拡大して表示する（ステップＳ６６）。図１７（ｂ）には、入力されたシリアル番号の思いカードのオブジェクト１２ｂが示されている。次に、表示制御手段３３は、印刷ボタンが押されたかを判定し（ステップＳ６８）、押されない場合、本探索表示処理を終了する。印刷ボタンが押されたと判定された場合、表示制御手段３３は、入力されたシリアル番号のオブジェクトを印刷し（ステップＳ７０）、本探索表示処理を終了する。これにより、例えば図１７（ｂ）に示されたシリアル番号が付与されたオブジェクト１２ｂの印刷が実行される。これにより、シリアル番号を知っている参加者自身又は参加者と親しい他の参加者のみに参加者の画像データの印刷を許可することができる。なお、入力されたシリアル番号は、オブジェクトの識別情報の一例である。
（３）その他のタップの場合
ステップＳ４６にてその他のタップが表示された場合、図１５Ｂに示した処理が行われる。具体的には、表示制御手段３３は、その他のタップの種類を判定し(ステップＳ７１)、判定の結果、以下の（３−１）、（３−２）、（３−３）の処理が行われる。
（３−１）「ツリー表示に戻る」ボタンのタップの場合
ユーザ操作により、図１６Ａに示した「ツリー表示に戻る」のボタン５４がタップされると、表示制御手段３３は、ツリーの全体を表示し(ステップＳ７２)、その後、図１５ＡのステップＳ４４に戻る。これにより、図７のツリーの全体が表示される。
（３−２）レイヤの切り替えボタンをタップの場合
ユーザ操作により、図１６Ａに示したレイヤの切り替えボタン５２、５３がタップされると、表示制御手段３３は、ボタンに応じて表示レイヤを切り替え(ステップＳ７４)、その後、図１５ＡのステップＳ４４に戻る。このとき、ユーザ操作により、図１６Ａに示した「一つ手前のレイヤ」のボタン５２が押されると、一つ手前のレイヤに表示が移動する。例えば、図１６Ａに示した表示状態で「一つ手前のレイヤ」のボタン５２が押されると、レイヤ１の一つ手前のレイヤが一番手前に表示されるようにレイヤが移動し、レイヤ１，２，３がそれぞれ一つずつ奥に移動して表示される。図１６Ａに示した表示状態で「一つ先のレイヤ」のボタン５３が押されると、レイヤ２が一番手前に表示されるように各レイヤが移動する。
（３−３）特定のオブジェクトをタップした場合
ユーザ操作により、特定のオブジェクトがタップされた場合、表示制御手段３３は、特定オブジェクトのみを拡大表示し、さらにお気に入りボタンを含む表示を行う(ステップＳ７６)。例えば、図１６Ａの表示画面からレイヤ１に表示されたオブジェクト１２ｐ１１がタップされた場合、図１６Ｂに示されるように、オブジェクト１２ｐ１１が拡大表示され、さらにお気に入りボタン５６を含む表示が行われる。
【００９１】
次に、表示制御手段３３は、タップ操作を検知したかを判定する（ステップＳ７８）。タップ操作が検知されるまでステップＳ７８を繰り返し、タップ操作が検知された場合、表示制御手段３３は、操作の種類を判定する（ステップＳ８０）。
【００９２】
ステップＳ８０にて、お気に入りボタン５６がタップされたと判定された場合、特定オブジェクトの重み情報の値を１大きくし(ステップＳ８２)、その後、図１５ＡのステップＳ４４に戻る。例えば、図１６Ｂに示されるように、特定のオブジェクト１２ｐ１１がタップされ、これに対してお気に入りボタン５６がタップされた場合、特定のオブジェクト１２ｐ１１の重み情報の値が１加算される。これにより、特定のオブジェクトの重みカスタマイズすることができる。
【００９３】
一方、ステップＳ８０にて、図１６Ｂに示される「戻る」ボタン５５がタップされたと判定された場合、表示制御手段３３は、特定オブジェクトの拡大表示を元に戻し(ステップＳ８４) 、その後、図１５ＡのステップＳ４４に戻る。
【００９４】
以上の探索表示処理によれば、イベントに関する記録を示したオブジェクトを画面上に効果的に表示することができる。
【００９５】
なお、上記実施形態では、レイヤを切り替えるボタン５２，５３が表示され、これらのボタンを表示することで、Ｚ方向のオブジェクトの表示が制御された。しかしながら、ピンチ操作でもレイヤの切り替えは可能である。ピンチ操作の場合のレイヤの表示例としては、例えば、一定サイズ以上を超えた場合に次のレイヤに移動し、一定サイズ以下になった場合に手前のレイヤに移動するようにしてもよい。
【００９６】
また、表示制御手段３３は、ステップＳ７８にてタップ操作を検知した後、図１８に示される画面上で「印刷」ボタンの操作がされた場合には、図１８の特定のオブジェクト１２ｐ１１を印刷してもよい。
【００９７】
［全体表示処理の変形例］
次に、一実施形態に係る全体表示処理の変形例について、図１９を参照しながら説明する。図１９は、一実施形態に係る全体表示処理の変形例を示したフローチャートである。ここでは、表示装置６０の画面上に表示されたツリーに、イベントに関する記録を記す多数のオブジェクトを表示する処理を例に挙げて説明する。
【００９８】
本全体表示処理が開始されると、表示制御手段３３は、まず、画面上の重みマーク又は時間マークが選択されたかを判定する。（ステップＳ１３０）。図２０には、タブレット型端末４５の画面にオブジェクトを表示するためのツリー１００が表示され、画面の右側に重みマーク４６及び時間マーク４７が表示された例が示されている。例えば、参加者が時間マーク４７をタッチすると、表示制御手段３３は、「時間」が選択されたと判定する。この場合、表示制御手段３３は、時間情報３２６に基づきｘｙ方向のオブジェクトの表示位置を制御し（ステップＳ１３２）、重み情報３２７に基づきｚ方向のオブジェクトの表示位置を制御する（ステップＳ１３４）。オブジェクトの表示位置の制御方法については、図１１及び図１２を用いて前述したため、ここでは説明を省略する。
【００９９】
参加者により図２０に示した重みマーク４６がタッチされると、図１９のステップＳ１３０にて、「重み」が選択されたと判定される。この場合、表示制御手段３３は、重み情報３２７に基づきｘｙ方向のオブジェクトの表示位置を制御し（ステップＳ１３６）、時間情報３２６に基づきｚ方向のオブジェクトの表示位置を制御する（ステップＳ１３８）。
【０１００】
図１９に戻り、イベント情報ＤＢ３２０に登録された複数のオブジェクト１２の表示位置が制御された後、表示制御手段３３は、ツリーの全体を表示する（ステップＳ１４０）。図７の右側には、表示装置６０の画面６１上にツリー１００の全体が表示された例が示されている。ツリー１００には、上記のようにして表示位置が制御されたオブジェクト１２が木の葉のように重なり、上下、左右、斜めに並べられて表示されている。
【０１０１】
ツリーは、画面上でオブジェクトを支持するように表示される支持オブジェクトの一例である。支持オブジェクトは、ツリー以外の表示であってもよい。支持オブジェクトは、複数のオブジェクト１２を表示できるようなサイズに表示される。
【０１０２】
表示制御手段３３は、ツリーの全体を表示した後、新たなオブジェクト情報がイベント情報ＤＢ３２０に登録されたかを判定する（ステップＳ１４２）。新たなオブジェクト情報が登録されていないと判定された場合、本全体表示処理を終了する。
【０１０３】
一方、新たなオブジェクト情報が登録されたと判定された場合、表示制御手段３３は、新たなオブジェクト情報に基づくオブジェクトの表示位置を制御する。新たなオブジェクトの表示位置は、ステップＳ１３０の選択処理に基づき、ステップＳ１３２、Ｓ１３４又はステップＳ１３６、Ｓ１３８の表示制御処理を実行することにより算出される。表示制御手段３３は、新たなオブジェクトの表示位置に新たなオブジェクトを表示し、既に表示されているオブジェクトに新たなオブジェクトをソートし（ステップＳ１４４）、本全体表示処理を終了する。
【０１０４】
以上、本実施形態に係る全体表示処理の変形例によれば、イベントへの思いを例えば思いカードの形式で表示したオブジェクトを、参加者の思いを共有するために大型画面に映し出されたツリー形状の支持オブジェクトに表示させ、そのツリーに思いカードが集まる表示を演出することができる。
【０１０５】
［探索表示処理の変形例］
次に、一実施形態に係る探索表示処理の変形例の一例について、図２１を参照しながら説明する。図２１は、一実施形態に係る探索表示処理の変形例の一例を示したフローチャートである。ここでは、表示装置６０の画面上のツリーに表示されている多数のオブジェクトから特定のオブジェクトを探索する処理を例に挙げて説明する。
【０１０６】
本探索表示処理が開始されると、表示制御手段３３は、まず、画面が操作されたかを判定し（ステップＳ１５０）、画面が操作されるまでステップＳ１５０の判定処理を繰り返す。画面が操作されたとき、表示制御手段３３は、画面操作の種類を判定する（ステップＳ１５２）。なお、参加者や管理者による画面操作は、タブレット端末４５等のオブジェクトの探索用の専用機材を使用してもよいし、ノートＰＣ４０や図示しないＰＣ等の情報端末を使用してもよい。
【０１０７】
「ピンチイン／ピンチアウト」操作と判定された場合、ステップＳ５４〜Ｓ６０の処理が行われる。ステップＳ５４〜Ｓ６０の処理は、図１５Ａの同ステップの処理にて説明したため、個々では説明を省略する。
【０１０８】
「検索」ボタンのタップ操作と判定された場合、ステップＳ６２〜Ｓ７０の処理が行われる。ステップＳ６２〜Ｓ７０の処理は、図１５Ａの同ステップの処理にて説明したため、個々では説明を省略する。
【０１０９】
以上に説明したように、一実施形態に係る表示制御システム１によれば、イベントに関する記録を示したオブジェクトを画面上に効果的に表示することができる。これにより、特に大勢の人が参加するイベントにおいて参加者間での思いを共有することができる。
【０１１０】
なお、画面上に表示されているオブジェクトに対する参加者のタッチ操作（タップ操作）に応じて、演算手段３４は、そのオブジェクトの重み情報３２７が示す重みを大きくするようにしてもよい。これにより、参加者のタッチ操作に応じて、そのオブジェクトを優先的に見易い位置に表示することができる。
【０１１１】
（ハードウェア構成例）
最後に、本実施形態に係るサーバ３０のハードウェア構成の一例を説明する。図２２は、本実施形態に係るサーバ３０のハードウェア構成例を示した図である。サーバ３０は、キーボード１０１、ディスプレイ１０２、外部Ｉ／Ｆ１０３、ＲＡＭ(Random Access Memory)１０４、ＲＯＭ(Read Only Memory)１０５、ＣＰＵ(Central Processing Unit)１０６、通信Ｉ／Ｆ１０７、及びＨＤＤ(Hard Disk Drive)１０８を備え、それぞれがバスＢで相互に接続されている。
【０１１２】
キーボード１０１は、サーバ３０に設けられた入力部の一例であり、マウス等であってもよい。キーボード１０１は、サーバ３０に各操作信号を入力するために用いられる。ディスプレイ１０２は、サーバ３０に設けられた表示部の一例であり、例えば、オブジェクトに関する情報を画面に表示してもよい。
【０１１３】
通信Ｉ／Ｆ１０７は、サーバ３０を図示しないネットワークに接続するインタフェースである。これにより、サーバ３０は、通信Ｉ／Ｆ１０７を介して、電子ホワイトボード１０、スキャナ１５、ノートＰＣ４０及びタブレット端末４５等の他の機器とデータ通信を行うことができる。
【０１１４】
ＨＤＤ１０８は、プログラムやデータを格納している不揮発性の記憶装置である。格納されるプログラムやデータには、装置全体を制御する基本ソフトウェアであるＯＳ(Operating System)、及びＯＳ上において入力処理、全体表示処理、探索表示処理等の各種機能を提供するアプリケーションソフトウェアなどがある。また、ＨＤＤ１０８は、格納しているプログラムやデータを、所定のファイルシステムやイベント情報ＤＢ３２０などのデータベースにより管理している。
【０１１５】
外部Ｉ／Ｆ１０３は、外部装置とのインタフェースである。外部装置には、記録媒体１０３ａなどがある。これにより、サーバ３０は、外部Ｉ／Ｆ１０３を介して、記録媒体１０３ａの読み取りや書き込みを行うことができる。記録媒体１０３ａには、ＣＤ(Compact Disk)、及びＤＶＤ(Digital Versatile Disk)、ならびに、ＳＤメモリカード(SD Memory card)やＵＳＢメモリ(Universal Serial Bus memory)などがある。
【０１１６】
ＲＯＭ１０５は、電源を切っても内部データを保持することができる不揮発性の半導体メモリ（記憶装置）である。ＲＯＭ１０５には、ＯＳ設定及びネットワーク設定などのプログラムやデータが格納されている。ＲＡＭ１０４は、プログラムやデータを一時保持する揮発性の半導体メモリである。ＣＰＵ１０６は、上記記憶装置（例えば「ＨＤＤ」）から、プログラムやデータをＲＡＭ上に読み出し、入力処理、全体表示処理、探索表示処理等の各種処理のプログラムを実行することで、サーバ３０の全体の制御や搭載される表示制御機能を実現する演算装置である。以上のように、本実施形態に係るサーバ３０は、上記ハードウェア構成により、各種処理サービスを提供することができる。入力処理、全体表示処理、探索表示処理等のプログラムは、通信Ｉ／Ｆ１０７を介してダウンロードしてもよい。記録媒体１０３ａに記録したプログラムを読み取り、ＨＤＤ１０８等に記憶させるようにしてもよい。なお、ノートＰＣ４０、タブレット型端末４５もサーバ３０と略同一のハードウェア構成を備える。
【０１１７】
以上、表示制御装置、表示制御システム、表示制御方法及びプログラムを上記実施形態により説明したが、本発明は上記実施形態に限定されるものではなく、本発明の範囲内で種々の変形及び改良が可能である。
【０１１８】
例えば、上記実施形態にて説明した表示制御システムの構成は、本発明に係る表示制御システムの一例であり、本発明の範囲を限定するものではない。本発明に係る表示制御システムは、用途や目的に応じて様々なシステム構成例があることは言うまでもない。例えば、本発明に係る表示制御システムは、入力手段として直接入力方式の装置と光学入力方式の装置とののいずれの装置も複数台有していることが好ましいが、これに限られず、直接入力方式の装置又は光学入力方式の装置のいずれかを有していてもよい。また、本発明に係る表示制御システムが有する、例えば電子ホワイトボード１０等のいずれの機器も１台のみ設けられてもよいし、複数台設けられてもよい。また、本発明に係る表示制御システムにおいてサーバが有する表示制御機能の一部は、タブレット型端末４５やノートＰＣ４０や表示装置６０が分散して有してもよい。また、システムを構成するサーバは複数台でも良く、その場合、どのサーバに表示制御機能を設けてもよい。
【０１１９】
また、上記実施形態では、イベントに直接的に参加する参加者により直接入力方式を使用して入力されたオブジェクト情報、及び間接的に参加する参加者により光学入力方式(間接入力方式)を使用して入力されたオブジェクト情報に基づくオブジェクトが表示された。しかしながら、本発明に係る表示制御システムは、イベント情報ＤＢ３２０のイベント名３２８により特定される一のイベントにおいて直接又は間接入力方式により収集されたオブジェクト情報を表示する表示制御方法に限定されない。例えば、本発明に係る表示制御システムは、例えば、一つのイベントではないが関連する複数のイベントにおいて直接又は間接入力方式により収集されたオブジェクト情報を同一の画面上に表示するように制御してもよい。関連する複数のイベントの一例としては、毎年行われる同一イベントに対して、昨年のイベントと今年のイベントとからなる複数のイベントが挙げられる。
【０１２０】
この場合にも、複数のイベントの記録を示すオブジェクト情報３２２に紐付けられた時間情報３２６と重み情報３２７とに基づき画面に対して水平方向のオブジェクトの表示位置及び奥行き方向のオブジェクトの表示位置が表示される。これにより、複数のイベントを連携させて複数のイベントに関する記録を示したオブジェクトを画面上に効果的に表示することができる。これにより、関連する複数のイベントに参加した人々の思いを連携させて一つの画面上に表示させることができる。
【０１２１】
また、イベント情報ＤＢ３２０に記憶されているオブジェクト情報３２２は、画像ＩＤ３２１により識別可能である。よって、イベントの参加者は、後日、図示しないネットワークから画像ＩＤ３２１を入力することにより、所望のオブジェクト情報３２２を入手可能である。
【符号の説明】
【０１２２】
１：表示制御システム
１０：電子ホワイトボード
１２：オブジェクト
１５：スキャナ
２０：ＭＦＰ
３０：サーバ
３１：取得手段
３２：記憶手段
３３：表示制御手段
３４：演算手段
４０：ノートＰＣ
４５：タブレット型端末
５０：プロジェクタ
６０：表示装置
１００：ツリー
３２０：イベント情報ＤＢ
３２１：画像ＩＤ
３２２：オブジェクト情報
３２３：所在地
３２４：性別
３２５：年代
３２６：時間情報
３２７：重み情報
３２８：イベント名
３２９：機器Ｎｏ．
【先行技術文献】
【特許文献】
【０１２３】
【特許文献１】特表２０１０−５２２９２９号公報
【図１】
2015068988.tif 000003
【図２】
2015068988.tif 000004
【図３】
2015068988.tif 000005
【図４】
2015068988.tif 000006
【図５】
2015068988.tif 000007
【図６】
2015068988.tif 000008
【図７】
2015068988.tif 000009
【図８】
2015068988.tif 000010
【図９】
2015068988.tif 000011
【図１０】
2015068988.tif 000012
【図１１】
2015068988.tif 000013
【図１２】
2015068988.tif 000014
【図１３】
2015068988.tif 000015
【図１４】
2015068988.tif 000016
【図１５Ａ】
2015068988.tif 000017
【図１５Ｂ】
2015068988.tif 000018
【図１６Ａ】
2015068988.tif 000019
【図１６Ｂ】
2015068988.tif 000020
【図１７】
2015068988.tif 000021
【図１８】
2015068988.tif 000022
【図１９】
2015068988.tif 000023
【図２０】
2015068988.tif 000024
【図２１】
2015068988.tif 000025
【図２２】
2015068988.tif 000026